(57)【要約】【課題】枠体を太陽電池モジュール本体の端部に差込むという構造自体を見直し、差込み部分を無くすことで、潜在的に隙間ができる可能性を排除し、太陽電池モジュール自体の防水性を高める。【解決手段】太陽電池モジュール本体２の対向する少なくとも一対の辺に枠体を備えた屋根上に敷設される建材一体型モジュール１であって、軒側に位置する枠体である前側枠部１１は、脚部１１ｂと、太陽電池モジュール本体２の端部を下側から受け止める受け部１１ａとを備え、受け部１１ａと太陽電池モジュール本体２の端部の下面とが接着部材５によって接着固定されている。【選択図】図２
2017150273.tif 000002
【特許請求の範囲】
【請求項１】
太陽電池モジュール本体の対向する少なくとも一対の辺に枠体を備え、前記太陽電池モジュール本体を屋根上に敷設する建材一体型モジュールであって、
軒側に位置する前記枠体は、脚部と、前記太陽電池モジュール本体の端部を下側から受け止める受け部とを備え、前記受け部と前記太陽電池モジュール本体の前記端部の下面とが接着部材によって接着固定されていることを特徴とする建材一体型モジュール。
【請求項２】
請求項１に記載の建材一体型モジュールであって、
前記枠体は、前記脚部から上方に延設され、前記太陽電池モジュール本体の前記端部の端面に当接する当接片を備えていることを特徴とする建材一体型モジュール。
【請求項３】
請求項１に記載の建材一体型モジュールであって、
前記枠体は、前記脚部から前記太陽電池モジュール本体の前記端部の端面に沿って上方に延設された当接片と、前記当接片の延設先端部から前記太陽電池モジュール本体の前記端部の上面側に延設された上押さえ片とを備えていることを特徴とする建材一体型モジュール。
【請求項４】
請求項３に記載の建材一体型モジュールであって、
前記上押さえ片と前記太陽電池モジュール本体の前記端部の上面との間に緩衝部材が配置されていることを特徴とする建材一体型モジュール。
【請求項５】
請求項１から請求項４までのいずれか一つに記載の建材一体型モジュールであって、
前記枠体は、前記軒側に位置する前記太陽電池モジュール本体の辺と対向する辺にも配置されていることを特徴とする建材一体型モジュール。
【発明の詳細な説明】
【技術分野】
【０００１】
本発明は、太陽電池モジュール本体の各辺に、太陽電池モジュール本体を屋根上に敷設するための枠体を備えた建材一体型モジュールに関する。
【背景技術】
【０００２】
従来の太陽電池モジュールは、太陽電池モジュール本体の各辺に枠体を備えており、各枠体は、太陽電池モジュール本体の端部を挟み込んで保持するための断面コ字状（または断面略Ｕ字状）に形成された保持部を備えている（例えば、特許文献１参照）。
【０００３】
このような構造の太陽電池モジュールでは、枠体の保持部に太陽電池モジュール本体の端部（ラミネート部分またはガラス部分）を差し込んでいるため、雨水等が保持部の隙間を通って太陽電池モジュール本体の裏側に漏れる可能性がある。
【０００４】
そのため、従来の太陽電池モジュールでは、この保持部と太陽電池モジュール本体の端部との間に、ホットブチル、シリコン樹脂、ガスケット、発泡体などの防水材を介装させることで、防水性を高める構造となっている。
【０００５】
この場合、建材一体型モジュールでも枠体は同様の構造となっているが、建材一体型モジュールではモジュール自体が瓦の役割も果たすため、特に高い防水性が求められる。
【先行技術文献】
【特許文献】
【０００６】
【特許文献１】特開２００５−２８２０５３号公報
【発明の概要】
【発明が解決しようとする課題】
【０００７】
上記従来の太陽電池モジュールの構造では、枠体の保持部と太陽電池モジュール本体の端部との間の差込み部分に防水材を介装させるという手法で防水性を高めている。この場合、例えば、シリコン樹脂に隙間が生じたり、発泡体が経時的にへたって隙間が生じてしまうといった事態が発生すると、差込み部分を通って雨水が太陽電池モジュール本体の下面側に回り込んで落下し、太陽電池モジュール自体の防水性が担保できなくなるといった問題があった。
【０００８】
本発明はかかる問題点を解決すべく創案されたもので、その目的は、枠体の保持部に太陽電池モジュール本体の端部を差込むという構造自体を見直し、差込み部分を無くすことで、潜在的に隙間ができる可能性を排除し、太陽電池モジュール自体の防水性を高めた建材一体型モジュールを提供することにある。
【課題を解決するための手段】
【０００９】
上記課題を解決するため、本発明の建材一体型モジュールは、太陽電池モジュール本体の対抗する少なくとも一対の辺に枠体を備え、前記太陽電池モジュール本体を屋根上に敷設する建材一体型モジュールであって、軒側に位置する前記枠体は、脚部と、前記太陽電池モジュール本体の端部を下側から受け止める受け部とを備え、前記受け部と前記太陽電池モジュール本体の前記端部の下面とが接着部材によって接着固定されていることを特徴としている。
【００１０】
この構成によれば、接着部材を伝って雨水等が太陽電池モジュール本体の下面側に入り込むことはない。
【００１１】
また、本発明の建材一体型モジュールによれば、前記枠体は、前記脚部から上方に延設され、前記太陽電池モジュール本体の前記端部の端面に当接する当接片を備えた構成としてもよい。
【００１２】
また、本発明の建材一体型モジュールによれば、前記枠体は、前記脚部から前記太陽電池モジュール本体の前記端部の端面に沿って上方に延設された当接片と、前記当接片の延設先端部から前記太陽電池モジュール本体の前記端部の上面側に延設された上押さえ片とを備えた構成としてもよい。
【００１３】
また、本発明の建材一体型モジュールによれば、前記上押さえ片と前記太陽電池モジュール本体の前記端部の上面との間に緩衝部材が配置された構成としてもよい。
【００１４】
この構成によれば、緩衝部材によって太陽電池モジュール本体の端部を枠体の受け部側に常に押さえ付けることができるので、接着部材の接着力を補助することができる。
【００１５】
また、本発明の建材一体型モジュールによれば、前記枠体は、前記軒側に位置する前記太陽電池モジュール本体の辺と対向する辺にも配置される構成としてもよい。
【００１６】
この構成によれば、太陽電池モジュール本体の軒側に位置する辺と棟側に位置する辺において、差し込む部分を無くすことができる。
【発明の効果】
【００１７】
本発明によれば、軒側に位置する枠体の受け部と太陽電池モジュール本体の端部の下面とが接着部材によって接着固定された構成としたので、接着部材を伝って雨水等が太陽電池モジュール本体の下面側に入り込むことを防止することができる。
【図面の簡単な説明】
【００１８】
【図１】本発明の実施形態１に係る建材一体型モジュールを示す平面図である。
【図２】図１に示す建材一体型モジュールを側面側から見たII−II線に沿う断面図である。
【図３】図１に示す建材一体型モジュールを正面側から見たIII−III線に沿う断面図である。
【図４Ａ】実施形態２に係る前側枠部を示す側面側から見た断面図である。
【図４Ｂ】実施形態２に係る後側枠部を示す側面側から見た断面図である。
【図４Ｃ】実施形態２に係る左側枠部を示す正面側から見た断面図である。
【図４Ｄ】実施形態２に係る右側枠部を示す正面側から見た断面図である。
【図５Ａ】実施形態３に係る前側枠部を示す側面側から見た断面図である。
【図５Ｂ】実施形態３に係る後側枠部を示す側面側から見た断面図である。
【図５Ｃ】実施形態３に係る左側枠部を示す正面側から見た断面図である。
【図５Ｄ】実施形態３に係る右側枠部を示す正面側から見た断面図である。
【図６Ａ】実施形態４に係る前側枠部を示す側面側から見た断面図である。
【図６Ｂ】実施形態４に係る後側枠部を示す側面側から見た断面図である。
【図６Ｃ】実施形態４に係る左側枠部を示す正面側から見た断面図である。
【図６Ｄ】実施形態４に係る右側枠部を示す正面側から見た断面図である。
【図７】実施形態５に係る前側枠部を示す側面側から見た断面図である。
【図８】実施形態６に係る前側枠部が取り付けられた建材一体型モジュールを正面側から見た斜視図である。
【図９】実施形態１に係る枠体を備えた建材一体型モジュールを左右方向（横方向）に隣接配置した状態を正面側から見た断面図である。
【図１０】建材一体型モジュールを左右方向（横方向）に隣接配置した状態を正面側から見た断面図である。
【発明を実施するための形態】
【００１９】
以下、本発明の実施の形態について、図面を参照して説明する。
【００２０】
＜実施形態１＞
図１は本発明の実施形態１に係る建材一体型モジュールを示す平面図であり、図２は図１に示す建材一体型モジュールを側面側から見たII−II線に沿う断面図であり、図３は図１に示す建材一体型モジュールを正面側から見たIII−III線に沿う断面図である。
【００２１】
ここで、実施形態１では、屋根を軒側から見た状態を基準として横方向を左右方向と定義し、軒側を前方、棟側を後方と定義する。
【００２２】
実施形態１に係る建材一体型モジュール１は、太陽電池モジュール本体２と、この太陽電池モジュール本体２の各辺（実施形態１では、太陽電池モジュール本体２は正方形若しくは長方形であるので、４辺）にそれぞれ取り付けられる枠体１０と、を備えている。
【００２３】
太陽電池モジュール本体２は、表面側ガラスと裏面側フィルムの間に充填材を用いて複数枚（この場合、２列で各列１１枚）の太陽電池セルＳを封止し、かつ裏面側フィルムの裏面に金属箔入りバックフィルムを貼着した構成とされている。ただし、太陽電池モジュール本体２はこのような構成に限定されるものではない。また、太陽電池セルＳは、特に限定されるものではなく、例えば、単結晶、多結晶、薄膜等のシリコン系太陽電池、ＧａＡｓ,ＣｄＴｅ,ＣｄＳ等の化合物系太陽電池、色素増感、有機薄膜等の有機系太陽電池等を挙げることができる。なお、図示は省略しているが、太陽電池モジュール本体２の裏面側の左右一方の端部には端子ボックスが設けられており、この端子ボックスには正極側と負極側の一対の電気ケーブルが設けられている。
【００２４】
上記構成の太陽電池モジュール本体２に枠体１０を取り付けてなる建材一体型モジュール１は、その左右方向の長さが、横並びに配置される瓦の左右方向（横方向）の長さと略等しく、その前後方向の長さが、瓦の前後方向（縦方向）の長さと略等しく設定されている。
【００２５】
枠体１０は、太陽電池モジュール本体２を屋根上に敷設する状態を想定して、第１枠部１１と第２枠部１２と第３枠部１３と第４枠部１４と、これら４本の各枠部１１，１２，１３，１４を相互に連結する複数のビスと、で構成されている。
【００２６】
第１枠部１１は、例えば太陽電池モジュール本体２の軒側端部に取り付けられる前側枠部であり、第２枠部１２は、例えば太陽電池モジュール本体２の棟側端部に取り付けられる後側枠部である。第３枠部１３は、例えば太陽電池モジュール本体２の左側端部に取り付けられる左側枠部であり、第４枠部１４は、例えば太陽電池モジュール本体２の右側端部に取り付けられる右側枠部である。
【００２７】
これら各枠部１１、１２、１３、１４は、例えばアルミニウムやアルミニウム合金等の押出加工により所望の断面形状に形成されている。ただし、全てがアルミニウムやアルミニウム合金等の材料で形成されている必要はなく、例えば太陽電池モジュール本体２の軒側端部に取り付けられる前側枠部１１をアルミニウムやアルミニウム合金等で形成し、棟側端部に取り付けられる後側枠部１２を亜鉛メッキ鋼板で形成し、左側枠部１３及び右側枠部１４を樹脂材料で形成する等、その配置位置によって形成する材料を適宜変更してもよい。
【００２８】
次に、枠体１０の各枠部１１〜１４の形状について説明する。
【００２９】
（前側枠部１１の説明）
図２に示すように、前側枠部１１は、太陽電池モジュール本体２の軒側の端部を下側から受け止める受け止め片１１ａと、太陽電池モジュール本体２の軒側の端部を屋根上（若しくは屋根に敷設された瓦上等）に載置固定するための脚部１１ｂと、を備えている。
【００３０】
脚部１１ｂは、受け止め片１１ａの外側端部から下方に延設された垂下片１１ｃと、垂下片１１ｃの後面側から後方に突設され、かつ所定位置にビスを螺着させるネジ孔１１ｄ１を有する後方突出片１１ｄと、を備えている。なお、ネジ孔１１ｄ１は、図示しない補強部材の前側端部を後方突出片１１ｄにビスにて固定するためのネジ孔である。
【００３１】
このような構成の前側枠部１１は、受け止め片１１ａと太陽電池モジュール本体２の軒側の端部の下面とを接着部材５によって接着固定することで、前側枠部１１を太陽電池モジュール本体２の軒側の端部に取り付け固定する構造となっている。
【００３２】
（後側枠部１２の説明）
図２に示すように、後側枠部１２は、太陽電池モジュール本体２の棟側の端部を下側から受け止める受け止め片１２ａと、受け止め片１２ａの後端側から後方に延設され、内部に左側枠部１３及び右側枠部１４と連結するビス用の螺着凹部１２ｂ１を有する中空部１２ｂと、受け止め片１２ａの前端側から前方に延設され、その先端が折返されたフック部１２ｃと、を備えている。なお、フック部１２ｃは、図示しない補強部材の後側端部を係止する係止爪である。
【００３３】
このような構成の後側枠部１２は、受け止め片１２ａと太陽電池モジュール本体２の棟側の端部の下面とを接着部材５によって接着固定することで、後側枠部１２を太陽電池モジュール本体２の棟側の端部に取り付け固定する構造となっている。
【００３４】
（左側枠部１３の説明）
図３に示すように、左側枠部１３は、太陽電池モジュール本体２の左側の端部を下側から受け止める受け止め片１３ａと、受け止め片１３ａの左側の端部（太陽電池モジュール本体２の端部側）から下方に垂下された垂下片１３ｂと、垂下片１３ｂの下端部から左側（太陽電池モジュール本体２の外側方向）へ突出する漏水防止用の下重り受片１３ｃと、を備えている。
【００３５】
下重り受片１３ｃの上面中央部には前後方向に延びる水切り用突起片１３ｄが設けられ、下重り受け片３ｃの先端部は上方へ屈曲された屈曲片１３ｅとなっている。
【００３６】
また、垂下片１３ｂの下端部から右側（太陽電池モジュール本体２の下面側）に突出して、横向きＬ字状に屈曲されたリブ片１３ｆが設けられている。
【００３７】
このような構成の左側枠部１３は、受け止め片１３ａと太陽電池モジュール本体２の左側の端部の下面とを接着部材５によって接着固定することで、左側枠部１３を太陽電池モジュール本体２の左側の端部に取り付け固定する構造となっている。
【００３８】
（右側枠部１４の説明）
図３に示すように、右側枠部１４は、太陽電池モジュール本体２の右側の端部を下側から受け止める受け止め片１４ａと、受け止め片１４ａの下面に前後方向に延びる複数の水切り用突起片１４ｂと、を備えている。受け止め片１４ａは、左側枠部１３の下重り受片１３ａと上下に対峙する上重り片でもある。
【００３９】
このような構成の右側枠部１４は、受け止め片１４ａと太陽電池モジュール本体２の右側の端部の下面とを接着部材５によって接着固定することで、右側枠部１４を太陽電池モジュール本体２の右側の端部に取り付け固定する構造となっている。
【００４０】
すなわち、実施形態１に係る建材一体型モジュール１では、各枠部１１〜１４は、各受け止め片１１ａ〜１４ａと太陽電池モジュール本体２の各端部の下面との間に接着部材５を用いて接着固定する構造となっており、太陽電池モジュール本体２の端面（受光面に略垂直な面）に接着部材等を配置しない構造としている。
【００４１】
この構造により、太陽電池モジュール本体２の各辺（すなわち、端部の全周）において、各枠部１１〜１４が差し込まれる部分が無くなることで、潜在的に差込み部分に隙間ができる可能性が排除されている。従って、差込み部分の隙間を通って雨水等が太陽電池モジュール本体２の上面（受光面である表面側ガラス）側から下面（裏面側フィルム）側に入り込むといった事態は発生しないので、建材一体型モジュール１自体の防水性を高めることができる。
【００４２】
この場合、建材一体型モジュール１は、屋根上に棟側から軒側に向かって傾斜して敷設されるため、少なくとも軒側に配置される前側枠部１１が上記構成であればその目的を達成でき、その他の枠部１２〜１４については、必ずしも上記構成である必要はない。
【００４３】
また、上記従来の構造では、枠体と太陽電池モジュール本体２の端部との差込み部分に例えばホットブチル等の防水材を用いる場合、ホットブチルはウェットプロセスであるため、工程内が汚れるといった問題がある。一方、発泡体を用いると、発泡体はドライプロセスであるため、工程内は汚れないが、へたりにくい発泡体（シリコン樹脂等）を用いるとコスト高になるといった問題がある。
【００４４】
これに対し、実施形態１では、接着部材５として例えば両面テープを用いて接着する製法とすれば、ドライプロセスでかつ安価な建材一体型モジュールを作製することができる。
【００４５】
なお、実地形態１においては、太陽電池モジュール本体２の各辺を各枠部１１〜１４が覆っている構造について説明したが、太陽電池モジュール本体２の棟側端部に取り付けられる後側枠部（第２枠部）１２と、太陽電池モジュール本体２の左側端部に取り付けられる左側枠部（第３枠部）１３はなくてもよい。このことは、以下の実施形態でも同様である。
【００４６】
次に、建材一体型モジュール１の他の実施形態、具体的には枠体１０の各枠部１１〜１４の他の実施形態ついて説明する。
【００４７】
＜実施形態２＞
図４Ａ及び図４Ｂは、実施形態２に係る前側枠部１１及び後側枠部１２を示す側面側から見た断面図、図４Ｃ及び図４Ｄは、実施形態２に係る左側枠部１３及び右側枠部１４を示す正面側から見た断面図である。
【００４８】
上記実施形態１では、太陽電池モジュール本体２の端面（受光面に略垂直な面）が開放された状態となっている。これに対し、実施形態２では、太陽電池モジュール本体２の端面を各枠部１１〜１４で塞ぐ構造としている。
【００４９】
具体的に説明すると、前側枠部１１は、図４Ａに示すように、実施形態１の構成（図２）に加え、垂下片１１ｃの上端部から上方に延設させて、太陽電池モジュール本体２の軒側の端部の端面に当接する当接片１１ｅを備えた構成としたものである。この場合、当接片１１ｅの高さは、太陽電池モジュール本体２の上面（受光面）の高さと略面一となるように設けられている。
【００５０】
また、後側枠部１２は、図４Ｂに示すように、実施形態１の構成（図２）に加え、中空部１２ｂの前側の側面（図４Ｂでは左側の側面）１２ｂ２を、受け止め片１２ａの後側端部に位置するように設けることで、中空部１２ｂの側面１２ｂ２を太陽電池モジュール本体２の棟側の端部の端面に当接する当接片としたものである。この場合、側面（当接片）１２ｂ２の高さは、太陽電池モジュール本体２の上面（受光面）の高さと略面一となるように設けられている。
【００５１】
また、左側枠部１３は、図４Ｃに示すように、実施形態１の構成（図３）に加え、垂下片１３ｂの上端部から上方延設させて、太陽電池モジュール本体２の左側の端部の端面に当接する当接片１３ｇを備えた構成としたものである。この場合、当接片１３ｇの高さは、太陽電池モジュール本体２の上面（受光面）の高さと略面一となるように設けられている。
【００５２】
また、右側枠部１４は、図４Ｄに示すように、実施形態１の構成（図３）に加え、受け止め片１４ａの右側端部から上方に延設させて、太陽電池モジュール本体２の右側の端部の端面に当接する当接片１４ｃを備えた構成としたものである。この場合、当接片１４ｃの高さは、太陽電池モジュール本体２の上面（受光面）の高さと略面一となるように設けられている。
【００５３】
なお、実施形態２の各枠部１１〜１４においては、各当接片１１ｅ，１２ｂ２，１３ｇ，１４ｃは、太陽電池モジュール本体２の端面に単に当接しているだけであり、その間に接着部材５は配置されていない。
【００５４】
＜実施形態３＞
図５Ａ及び図５Ｂは、実施形態３に係る前側枠部１１及び後側枠部１２を示す側面側から見た断面図、図５Ｃ及び図５Ｄは、実施形態３に係る左側枠部１３及び右側枠部１４を示す正面側から見た断面図である。
【００５５】
上記実施形態２では、各当接片１１ｅ，１２ｂ２，１３ｇ，１４ｃの高さが、太陽電池モジュール本体２の上面（受光面）の高さと略面一となるように設けられている。これに対し、実施形態３では、図５Ａ乃至図５Ｄに示すように、各当接片１１ｅ，１２ｂ２，１３ｇ，１４ｃの高さが、太陽電池モジュール本体２の上面（受光面）の高さより低くなるように設けられている。
【００５６】
具体的に説明すると、実施形態３では、各当接片１１ｅ，１２ｂ２，１３ｇ，１４ｃの高さは、太陽電池モジュール本体２の端面の高さの約半分程度の高さとなっている。
【００５７】
この構成によれば、建材一体型モジュール１を屋根上に敷設したとき、前側枠部１１が傾斜下端側となるので、特に前側枠部１１において排水性が高くなる。また、各当接片１１ｅ，１２ｂ２，１３ｇ，１４ｃの高さを、太陽電池モジュール本体２の上面（受光面）の高さより低くすることで、太陽電池モジュール本体２の各端部の端面に接着部材５がはみ出していないことを目視により確認することができる。すなわち、接着部材５としてシリコン樹脂等の接着樹脂を用いた場合、接着時の流動によって太陽電池モジュール本体２の端面側にはみ出す可能性があるが、このはみ出しの有無を目視により確認することができる。
【００５８】
＜実施形態４＞
図６Ａ及び図６Ｂは、実施形態４に係る前側枠部１１及び後側枠部１２を示す側面側から見た断面図、図６Ｃ及び図６Ｄは、実施形態４に係る左側枠部１３及び右側枠部１４を示す正面側から見た断面図である。
【００５９】
実施形態４に係る各枠部１１〜１４は、実施形態２に係る各枠部１１〜１４の変形例とも言えるものであり、実施形態２では、太陽電池モジュール本体２の端面（受光面に略垂直な面）のみを各当接片１１ｅ，１２ｂ２，１３ｇ，１４ｃで塞いだ状態としているのに対し、実施形態４では、太陽電池モジュール本体２の端部の上面（受光面）側まで各枠部１１〜１４を延設した構造としたものである。
【００６０】
具体的に説明すると、前側枠部１１は、図６Ａに示すように、実施形態２の構成（図４Ａ）に加え、当接片１１ｅの上端をさらに上方に延設し、その延設先端部を後方側に延設させて、太陽電池モジュール本体２の端部の上面（受光面）と対向する上押さえ片１１ｆをさらに備えており、この上押さえ片１１ｆと太陽電池モジュール本体２の端部の上面との間に緩衝部材６を配置した構成としたものである。
【００６１】
また、後側枠部１２は、図６Ｂに示すように、実施形態２の構成（図４Ｂ）に加え、中空部１２ｂの前側の側面１２ｂ２をさらに上方に延設し、その延設先端部を前方側に延設させて、太陽電池モジュール本体２の端部の上面（受光面）と対向する上押さえ片１２ｄをさらに備えており、この上押さえ片１２ｄと太陽電池モジュール本体２の端部の上面との間に緩衝部材６を配置した構成としたものである。
【００６２】
また、左側枠部１３は、図６Ｃに示すように、実施形態２の構成（図４Ｃ）に加え、当接片１３ｇの上端をさらに上方に延設し、その延設先端部を右側に延設させて、太陽電池モジュール本体２の端部の上面（受光面）と対向する上押さえ片１３ｈをさらに備えており、この上押さえ片１３ｈと太陽電池モジュール本体２の端部の上面との間に緩衝部材６を配置した構成としたものである。
【００６３】
また、右側枠部１４は、図６Ｄに示すように、実施形態２の構成（図４Ｄ）に加え、当接片１４ｃの上端をさらに上方に延設し、その延設先端部を左側に延設させて、太陽電池モジュール本体２の端部の上面（受光面）と対向する上押さえ片１４ｄをさらに備えており、この上押さえ片１４ｄと太陽電池モジュール本体２の端部の上面との間に緩衝部材６を配置した構成としたものである。
【００６４】
緩衝部材６は、各枠部１１〜１４の長手方向の全長にわたって配置されていてもよいし、所定の間隔を存して複数箇所に配置されていてもよい。
【００６５】
実施形態４によれば、緩衝部材６を配置することで、太陽電池モジュール本体２の端部を常に各枠部１１〜１４の受け止め片１１ａ〜１４ａ側に押さえ付けることができるため、接着部材５の接着力を補助することができる。
【００６６】
＜実施形態５＞
図７は、実施形態５に係る前側枠部１１を示す側面側から見た断面図である。
【００６７】
実施形態５に係る前側枠部１１は、実施形態４に係る前側枠部１１の変形例とも言えるものである。
【００６８】
具体的に説明すると、前側枠部１１は、図７に示すように、実施形態４の構成（図６Ａ）に加え、当接片１１ｅの上端を上押さえ片１１ｆよりさらに上方に延設させて雪止め片１１ｇを設けた構成としたものである。
【００６９】
実施形態５によれば、前側枠部１１に雪止め金具を別途取り付ける必要がないため、建材一体型モジュール１のコストダウンが可能となる。
【００７０】
＜実施形態６＞
図８は、実施形態６に係る前側枠部１１が取り付けられた建材一体型モジュール１を正面側から見た斜視図である。
【００７１】
実施形態６に係る前側枠部１１は、実施形態２に係る前側枠部１１（図４Ａ）の変形例であり、当接片１１ｅに、幅方向に所定の間隔を存して切欠き溝部１１ｈを設けた構成としたものである。前側枠部１１に切欠き溝部１１ｈを設けることで、屋根上に敷設した場合の建材一体型モジュール１の排水性能を向上させることができる。
【００７２】
以上が、枠体１０の実施形態である。
【００７３】
図９は、実施形態１に係る枠体１０を備えた建材一体型モジュール１を左右方向（横方向）に隣接配置した状態を正面側から見た断面図である。
【００７４】
本発明の建材一体型モジュール１では、横方向に隣接配置した２つの建材一体型モジュール１の対向する端面同士を近接配置し、図中左側の建材一体型モジュール１の右側枠部１４の上重なり片（受け止め片１４ａ）の下側に、図中右側の建材一体型モジュール１の左側枠部１３の下重り受片１３ｃを対向配置する構成としている。
【００７５】
すなわち、図９に示す建材一体型モジュール１では、左側枠部１３の下重なり受片１３ｃが前後方向（棟側から軒側に向かう方向）に配置される排水用溝としての機能を備えており、排水用溝が左側枠部１３と一体に形成された構成となっている。
【００７６】
一方、図１０は、同じく建材一体型モジュール１を左右方向（横方向）に隣接配置した状態を正面側から見た断面図であるが、図１０では、排水用溝を左側枠部１３とは別体として設けた構成としている。
【００７７】
すなわち、図１０に示す構成では、左側枠部１３と右側枠部１４とは同じ形状（ただし、左右反転した状態で配置されている。）であり、実施形態１の右側枠部１４（図３参照）とほぼ同じ形状となっている。すなわち、左側枠部１３は、太陽電池モジュール本体２の左側の端部を下側から受け止める受け止め片１３ａと、受け止め片１３ａの下面に前後方向に延びる複数（この例では４本）の水切り用突起片１３ｉと、を備えている。同様に、右側枠部１４は、太陽電池モジュール本体２の右側の端部を下側から受け止める受け止め片１４ａと、受け止め片１４ａの下面に前後方向に延びる複数（この例では４本）の水切り用突起片１４ｉと、を備えている。
【００７８】
このような構成の左側枠部１３及び右側枠部１４では、横方向に隣接する建材一体型モジュール１の対向する端面間の隙間等から落下した雨水等を受ける排水用溝が存在しない。そこで、図１０に示す構成では、隣接する左側枠部１３と右側枠部１４との間に、別部材である排水用溝板７を前後方向に沿って配置している。すなわち、左側枠部１３と右側枠部１４とは、屋根上に敷設された排水用溝板７上に配置されている。
【００７９】
この排水用溝板７は、後方側（棟側）から前方側（軒側）に向かって縦長に形成された長尺状の板体である溝板本体７１を備えており、この溝板本体７１の上面の左右両側に、幅方向に沿って一定の間隔を存して前後方向に延びた一対の導水壁７２が形成されている。すなわち、溝板本体７１と一対の導水壁７２とで断面上向きコ字状の排水溝部を形成し、この排水溝部内に、隣接する左側枠部１３と右側枠部１４とが跨がった状態で配置された構成となっている。
【００８０】
また、この排水用溝板７と交差する前側枠部１１には、排水溝部７の各導水壁７２との接触を避けるための切欠き凹部１１ｉ及び切欠き部１１ｊが形成されている。
【００８１】
なお、今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００８２】
１  建材一体型モジュール
２  太陽電池モジュール本体
５  接着部材
６  緩衝部材
７  排水用溝板
１０  枠体
１１  前側枠部
１１ａ  受け止め片（受け部）
１１ｂ  脚部
１１ｃ  垂下片
１１ｄ  後方突出片
１１ｅ  当接片
１１ｆ  上押さえ片
１１ｇ  雪止め片
１１ｈ  切欠き溝部
１２  後側枠部
１２ａ  受け止め片
１２ｂ  中空部
１２ｂ２  側面（当接片）
１２ｃ  フック部
１２ｄ  上押さえ片
１３  左側枠部
１３ａ  受け止め片
１３ｂ  垂下片
１３ｃ  下重り受片
１３ｄ、１３ｉ  水切り用突起片
１３ｅ  屈曲片
１３ｆ  リブ片
１３ｇ  当接片
１３ｈ  上押さえ片
１４  右側枠部
１４ａ  受け止め片
１４ｂ、１４ｉ  水切り用突起片
１４ｃ  当接片
１４ｄ  上押さえ片
【図１】
2017150273.tif 000003
【図２】
2017150273.tif 000004
【図３】
2017150273.tif 000005
【図４Ａ】
2017150273.tif 000006
【図４Ｂ】
2017150273.tif 000007
【図４Ｃ】
2017150273.tif 000008
【図４Ｄ】
2017150273.tif 000009
【図５Ａ】
2017150273.tif 000010
【図５Ｂ】
2017150273.tif 000011
【図５Ｃ】
2017150273.tif 000012
【図５Ｄ】
2017150273.tif 000013
【図６Ａ】
2017150273.tif 000014
【図６Ｂ】
2017150273.tif 000015
【図６Ｃ】
2017150273.tif 000016
【図６Ｄ】
2017150273.tif 000017
【図７】
2017150273.tif 000018
【図８】
2017150273.tif 000019
【図９】
2017150273.tif 000020
【図１０】
2017150273.tif 000021